(57)【要約】【課題】レバースイッチの小型かつ薄型化を実現すること。【解決手段】薄型のケース３０内の底面に第１固定接点４１と第２固定接点４２をケース幅方向に並べて配列し、接点ばね片５０の一方の脚部先端の第１可動接点５１を第１固定接点４１に、他方の脚部先端の第２可動接点５２を第２固定接点４２に接触させ、薄板状の操作部６１と接点ばね片５０に当接した押圧部６２とケース３０に回転可能に支持された支軸６３を一体化したレバー６０を収容し、操作部６１を押し込んだときにレバー６０が支軸６３を支点にして回転し、押圧部６２が接点ばね片５０を押し下げて脚部を撓み変形させることにより、第２可動接点５２が第２固定接点４２から離れて絶縁部に移動してスイッチ回路がＯＮからＯＦＦに切り換わるようにする。【選択図】図２
2008066218.tif 000002
【特許請求の範囲】
【請求項１】
上面に開口部を有し、厚さ寸法が幅及び高さ寸法よりも小さな薄型のケースと、
上記ケース内の底面に絶縁部を介してケース幅方向に並べて配列された第１固定接点及び第２固定接点と、
上記ケース内に収容され、正面視逆二等辺三角形状の金属片の底辺部を上方に向けるとともに残りの二等辺を下方で交差させた一対の脚部を有し、一方の脚部の先端に設けられた第１可動接点が上記第１固定接点に接触し、他方の脚部の先端に設けられた第２可動接点が上記第２固定接点に接触した接点ばね片と、
上記ケースの開口部から外部に突出した薄板状の操作部、上記接点ばね片の底辺部に当接した押圧部、操作部の厚さ方向に挿通して上記ケースの正面及び背面に回転可能に支持された支軸を一体化してなるレバーと、
を備え、
上記レバーの操作部を押し込むと上記レバーが支軸を支点にして回転し、上記レバーの押圧部が上記接点ばね片の底辺部を押し下げて脚部を撓み変形させることにより、上記接点ばね片の第２可動接点が上記第２固定接点から離れて絶縁部に移動するように構成されている
ことを特徴とするレバースイッチ。
【請求項２】
上面に開口部を有し、厚さ方向が幅及び高さ寸法よりも小さな薄型のケースと、
上記ケース内の底面に絶縁部を介してケース幅方向に並べて配列された第１固定接点及び第２固定接点と、
上記ケース内に収容され、正面視逆二等辺三角形状の金属片の底辺部を上方に向けるとともに残りの二等辺を下方で交差させた一対の脚部を有し、一方の脚部の先端に設けられた第１可動接点が上記第１固定接点に接触し、他方の脚部の先端に設けられた第２可動接点が上記第１固定接点と第２固定接点の間の絶縁部に接触した接点ばね片と、
上記ケースの開口部から外部に突出した薄板状の操作部、上記接点ばね片の底辺部に当接した押圧部、操作部の厚さ方向に挿通して上記ケースの正面及び背面に回転可能に支持された支軸を一体化してなるレバーと、
を備え、
上記レバーの操作部を押し込むと上記レバーが支軸を支点にして回転し、上記レバーの押圧部が上記接点ばね片の底辺部を押し下げて脚部を撓み変形させることにより、上記接点ばね片の第２可動接点が上記絶縁部から離れて上記第２固定接点に移動するように構成されている
ことを特徴とするレバースイッチ。
【発明の詳細な説明】
【技術分野】
【０００１】
本発明は、レバーの作動によってスイッチ回路をＯＮからＯＦＦへと切り換えるノーマルクローズ（Ｎ／Ｃ）タイプのレバースイッチと、これとは逆にレバーの作動によってスイッチ回路をＯＦＦからＯＮへと切り換えるノーマルオープン（Ｎ／Ｏ）タイプのレバースイッチに関するものである。
【背景技術】
【０００２】
近年、例えばデジタルスチルカメラ、デジタルビデオカメラ、あるいはデジタルオーディオプレーヤー等の電子機器において小型・薄型化が重要な開発テーマのひとつとなっている。通常この種の電子機器には記録メディアの挿入の有無を検知するメディア検知用スイッチが内蔵されているが、このメディア検知用スイッチについても回路基板のサイズを削減するために小型・薄型化が求められている。このようなメディア検知用スイッチの一例として、下記の特許文献１には本出願人が先に出願して特許されたレバースイッチが開示されている。
【０００３】
特許文献１のレバースイッチは、ケース内に立設された仕切り壁によってケース内が操作体収容室と導電体収容室の２室に区画されており、操作体収容室にはケースに回転可能に支持されたレバーが収容され、導電体収容室にはレバーの動作に連動する可動接点体が収容されている。また、ケース内の底面には中央に共通接点が配置され、その両側に個別接点が配置されている。そして、レバーの操作部が押圧されるとレバーが回転して可動接点体を撓み変形させ、可動接点体の接点部が一方の個別接点に接触して共通接点と個別接点を接続することによってスイッチ回路がＯＮに切り換わるようになっている。
【０００４】
ところが、このレバースイッチはケースの厚さ方向に操作体収容室と導電体収容室の２室を並べて配置した構造であるため、ケースの厚さ寸法を大きく設定しなければならず、このことがスイッチ全体の小型・薄型化を妨げる大きな要因になっていた。また、メディア検知用スイッチのなかには、通常時にスイッチ回路がＯＦＦの状態で、記録メディアが挿入されたときにスイッチ回路をＯＮに切り換えるノーマルオープンタイプのスイッチだけでなく、通常にスイッチ回路がＯＮの状態で、記録メディアが挿入されたときにスイッチ回路をＯＦＦに切り換えるノーマルクローズタイプのスイッチが必要とされる場合がある。しかし、特許文献１のレバースイッチはレバー作動時にスイッチ回路がＯＮに切り換わるノーマルオープンタイプの切換スイッチであり、必要とされるノーマルクローズタイプの用途に対応していないという問題もあった。
【０００５】
【特許文献１】特許第３６２９２６８号公報
【発明の開示】
【発明が解決しようとする課題】
【０００６】
本発明はこのような問題を解決するためになされたもので、その目的は、小型かつ薄型化を実現できるノーマルクローズタイプとノーマルオープンタイプの２種類のレバースイッチを提供することである。
【課題を解決するための手段】
【０００７】
本発明のレバースイッチは、上記の目的を達成するため、上面に開口部を有し、厚さ寸法が幅及び高さ寸法よりも小さな薄型のケースと、上記ケース内の底面に絶縁部を介してケース幅方向に並べて配列された第１固定接点及び第２固定接点と、上記ケース内に収容され、正面視逆二等辺三角形状の金属片の底辺部を上方に向けるとともに残りの二等辺を下方で交差させた一対の脚部を有し、一方の脚部の先端に設けられた第１可動接点が上記第１固定接点に接触し、他方の脚部の先端に設けられた第２可動接点が上記第２固定接点に接触した接点ばね片と、上記ケースの開口部から外部に突出した薄板状の操作部、上記接点ばね片の底辺部に当接した押圧部、操作部の厚さ方向に挿通して上記ケースの正面及び背面に回転可能に支持された支軸を一体化してなるレバーと、を備え、上記レバーの操作部を押し込むと上記レバーが支軸を支点にして回転し、上記レバーの押圧部が上記接点ばね片の底辺部を押し下げて脚部を撓み変形させることにより、上記接点ばね片の第２可動接点が上記第２固定接点から離れて絶縁部に移動するように構成されていることを特徴とする。
【０００８】
このレバースイッチによると、通常時においては第１固定接点と第２固定接点が接点ばね片を介して接続されており、接点間が閉であり、スイッチ回路がＯＮの状態になっている。そして、動作時においては接点ばね片の第２可動接点が第２固定接点から離れて絶縁部に移動することにより、それまで接点ばね片を介して接続されていた第１固定接点と第２固定接点との接続が断たれ、接点間が開になり、スイッチ回路がＯＦＦの状態に切り換わる。
【０００９】
また、本発明のレバースイッチは、上記の目的を達成するため、上面に開口部を有し、厚さ方向が幅及び高さ寸法よりも小さな薄型のケースと、上記ケース内の底面に絶縁部を介してケース幅方向に並べて配列された第１固定接点及び第２固定接点と、上記ケース内に収容され、正面視逆二等辺三角形状の金属片の底辺部を上方に向けるとともに残りの二等辺を下方で交差させた一対の脚部を有し、一方の脚部の先端に設けられた第１可動接点が上記第１固定接点に接触し、他方の脚部の先端に設けられた第２可動接点が上記第１固定接点と第２固定接点の間の絶縁部に接触した接点ばね片と、上記ケースの開口部から外部に突出した薄板状の操作部、上記接点ばね片の底辺部に当接した押圧部、操作部の厚さ方向に挿通して上記ケースの正面及び背面に回転可能に支持された支軸を一体化してなるレバーと、を備え、上記レバーの操作部を押し込むと上記レバーが支軸を支点にして回転し、上記レバーの押圧部が上記接点ばね片の底辺部を押し下げて脚部を撓み変形させることにより、上記接点ばね片の第２可動接点が上記絶縁部から離れて上記第２固定接点に移動するように構成されていることを特徴とする。
【００１０】
このレバースイッチによると、通常時においては第１固定接点と第２固定接点の接続が断たれており、接点間が開であり、スイッチ回路がＯＦＦの状態になっている。そして、動作時においては接点ばね片の第２可動接点が絶縁部から離れて第２固定接点に移動することにより、それまで接続が断たれていた第１固定接点と第２固定接点が接点ばね片を介して接続され、接点間が閉になり、スイッチ回路がＯＮの状態に切り換わる。
【発明の効果】
【００１１】
本発明のレバースイッチにおいては、厚さ寸法が幅及び高さ寸法よりも小さな薄型のケース内に薄板状のレバーを収容し、このレバーの回転動作に連動して接点ばね片が撓み変形し、可動接点の一方がケース幅方向に配列された固定接点から離れてスイッチ回路がＯＦＦに切り換わる、あるいは、これとは逆に固定接点に接触してスイッチ回路がＯＮに切り換わるという、独特な接点の切換構造を採用した。このことにより、スイッチの接点構造がケースの厚さ方向に広がらないため、接点構造の省スペース化が図られ、極めて小型でかつ薄型化されたノーマルクローズタイプとノーマルオープンタイプの２種類のレバースイッチを提供することができる。したがって、電子機器に搭載される回路基板のサイズを大幅に削減でき、電子機器の小型・薄型化に貢献できるという効果が得られる。
【００１２】
また、ノーマルクローズタイプの固定接点のパターンについて第２固定接点の位置だけを変更し、その他の部品についてはそのまま共通で使用することによってノーマルオープンタイプのスイッチにも対応できる。したがって、ノーマルクローズタイプとノーマルオープンタイプの両方のスイッチを安価なコストで製造できるという効果もある。
【発明を実施するための最良の形態】
【００１３】
以下、本発明の実施の形態を図面に基づいて説明する。
【００１４】
《第１実施形態》
図１は本発明の第１実施形態におけるレバースイッチの外観図、図２は同スイッチの断面図、図３〜図６は同スイッチを構成する部品図、図７と図８は同スイッチの動作説明図である。
【００１５】
図１に示すように、本実施形態のレバースイッチＳＷはノーマルクローズタイプの切換スイッチであって、その用途としては例えばデジタルスチルカメラ、デジタルビデオカメラ、デジタルオーディオプレーヤー等の電子機器におけるメディア検知用スイッチのように小型、薄型化が求められるスイッチとして利用することができる。
【００１６】
レバースイッチＳＷは定常時には接点が「閉」の状態であり、矢印Ａ方向に押し込み力が作用したときにレバー６０が矢印Ｂ方向に回転することによって接点を「開」へと切り換える。そして、押し込み力が解除されるとレバー６０が矢印Ｃ方向に回転して通常位置に戻り、接点を「開」から「閉」へと切り換えるようになっている。
【００１７】
図２に示すように、レバースイッチＳＷの内部構造を見ると、ベース１０にカバー２０を装着して一体化した薄型のケース３０内に固定接点４０と接点ばね片５０とレバー６０が収容された構造になっている。以下では本実施形態のレバースイッチＳＷの詳細な構造について、各部品の組み立て手順に従って説明する。
【００１８】
はじめにベース１０に固定接点４０を装着する。
【００１９】
図３に示すように、ベース１０は絶縁性を有する樹脂材料で成形されており、上面を開口し、厚さ寸法を幅及び高さ寸法よりも小さく設定した扁平な箱型の本体１１を有している。本体１１の左右両側面には後述のカバー２０を装着するための係止孔１２が設けられている。図３（ｂ）に示すベース１０の正面にはその幅方向の中央から僅かにずれた位置に後述のレバー６０を軸受け支持するための円形孔１３が形成されており、図３（ｃ）に示すベース１０の背面にはそれに対応する位置に凹溝１４が形成されている。また、ベース１０内の底面には前方左側に底面からの高さが一定な水平台１５が設けられており、前方右側には底面から側面に向かって上り傾斜した傾斜台１６が設けられている。なお、ベース１０の背面には回路基板に固定するためのピン１７が形成されているが、このピン１７は必ずしも必要でない。
【００２０】
固定接点４０は導電性を有する金属板を所定パターンに打ち抜いて成形されており、細長状の第１固定接点４１と第２固定接点４２を備えている。第１固定接点４１と第２固定接点４２をそれぞれベース１０の厚み方向に沿うように平行に配置し、ベース１０内の底面に固定する。これにより第１固定接点４１と第２固定接点４２はベース１０による絶縁部を介してケース幅方向に並べて配列されることになる。なお、第１固定接点４１に接続された第１接続端子４３はベース１０の背面左側から、第２固定接点４２に接続された第２接続端子４４は反対にベース１０の背面右側からそれぞれベース１０の外部へと突出させてある。
【００２１】
次にベース１０に接点ばね片５０を挿入する。
【００２２】
図４に示すように、接点ばね片５０は導電性を有する金属片を折り曲げ加工して成形されており、正面から見ると二等辺三角形を逆さにしてその底辺部５３を上方に向けるとともに残りの二等辺を下方で交差させてなる一対の脚部５４，５４を有している。一方の脚部５４にはその先端を下方に湾曲させた第１可動接点５１が設けられており、他方の脚部５４にはその先端を同じく下方に湾曲させた第２可動接点５２が設けられている。接点ばね片５０は、底辺部５３の両端をＵ字形に反り曲げた反曲部５５，５５により適度な弾力が付与されているとともに、底辺部５３の中央を下方に膨出した補強リブ５６により耐久性を向上させてある。図２に示すように、接点ばね片５０をベース１０内に挿入して底面に載置すると接点ばね片５０は一対の脚部５４，５４によって起立するとともに、第１可動接点５１が第１固定接点４１に接触し、第２可動接点５２が第２固定接点４２に接触する配置関係になっている。
【００２３】
続いてベース１０にレバー６０を装着する。
【００２４】
図５に示すように、レバー６０は絶縁性を有する樹脂材料で成形されており、薄板状の操作部６１と、操作部６１の下端に膨出形成された押圧部６２と、操作部６１の厚さ方向に挿通した支軸６３とを一体化して構成されている。レバー６０はベース１０に装着されるが、その方法はまずベース１０の正面にある円形孔１３に支軸６３の一端を挿入し、次いで支軸６３の他端をベース１０の背面にある凹溝１４内に差し込むようにする。これにより、図２に示すようにレバー６０は支軸６３を支点にしてベース１０に回転可能に軸受け支持される。また、押圧部６２の下面が接点ばね片５０の底辺部５３に当接し、レバー６０は接点ばね片５０のばね力により上方に常時付勢された状態になる。
【００２５】
最後にベース１０にカバー２０を装着する。
【００２６】
図６に示すように、カバー２０は絶縁性を有する樹脂材料で成形されており、ベース１０の上面開口部を覆う天板２１と、天板２１の左右側面に垂れ下がる取付片２２，２２とを有している。取付片２２の先端にはベース１０の係止孔１２に嵌合する係止爪２３が形成されており、天板２１の略中央にはケース３０の開口部３１となる方形孔２４が開口している。また、天板２１の左端には上面よりも一段低くした段部２５が形成され、天板２１の裏面には下方に垂直に延びる突起部２６が形成されている。そして、ベース１０の上からカバー２０をかぶせ、係止孔１２に係止爪２３を嵌め込むと、図２に示すようにベース１０とカバー２０を一体化した薄型のケース３０が構成され、そのケース３０の内部に接点ばね片５０とレバー６０が収容されたレバースイッチＳＷが完成する。なお、カバー２０を装着すると突起部２６が一方の反曲部５５に当接して接点ばね片５０が抜け止めされ、レバー６０の操作部６１のみがケース３０の開口部３１から外部に突出した状態になる。
【００２７】
本実施形態のレバースイッチＳＷは以上のように構成されており、以下その動作について説明する。
【００２８】
図７に示すように、レバースイッチＳＷのレバー６０が作動していない定常（ノーマル）時において、レバー６０の操作部６１はケース３０の上面に対し所定角度傾斜した中立位置にある。このとき内部の接点関係を見ると、接点ばね片５０は脚部５４，５４によって起立しており、その先端の第１可動接点５１が第１固定接点４１に接触し、第２可動接点５２が第２固定接点４２に接触した状態を維持している。
【００２９】
したがって、第１固定接点４１と第２固定接点４２が接点ばね片５０を介して接続されており、第１接続端子４３と第２接続端子４４が電気的に導通している。すなわち、レバースイッチＳＷのレバー６０が静止しているときには図７（ｂ）に示すように接点間が閉であり、スイッチ回路がＯＮの状態になっている。
【００３０】
図７に示したスイッチ回路がＯＮの状態からレバー６０に対して図中矢印Ａ方向の外力が作用したときには、梃子の原理により操作部６１が力点、支軸６３が支点、押圧部６２が作用点になる。すなわち、操作部６１に加えられた押し込み力によって、支軸６３を支点にしてレバー６０が矢印Ｂ方向へと回転し、操作部６１がカバー２０の段部２５に衝突するまで移動する。
【００３１】
このときの内部の接点関係を見ると、図８に示すように、レバー６０の回転に伴って押圧部６２が傾斜する際に接点ばね片５０の底辺部５３を押し下げ、接点ばね片５０の弾力に逆らって脚部５４を撓み変形させる。ここで、接点ばね片５０の右側の反曲部５５は突起部２６に当接していて上方への移動が規制されるとともに、右側の脚部５４が傾斜台１６に衝突するので、第１可動接点５１は移動することなく第１固定接点４１に接触したままである。それに対し、接点ばね片５０の左側の脚部５４は水平台１５に衝突するまで動きが自由であるので、第２可動接点５２がベース１０内の底面に摺接しながら第２固定接点４２から離れて絶縁部へと移動する。
【００３２】
したがって、それまで接点ばね片５０を介して接続されていた第１固定接点４１と第２固定接点４２が離れ、その結果、第１接続端子４３と第２接続端子４４が電気的に遮断される。これによりレバー６０の作動時には図８（ｂ）に示すように接点間が開になり、スイッチ回路がＯＮからＯＦＦの状態へと切り換わる。
【００３３】
図８に示したスイッチ回路がＯＦＦの状態からレバー６０に作用していた外力が解除されると、レバー６０は接点ばね片５０の弾力によって自動的に中立位置に復帰する。すなわち、接点ばね片５０の脚部５４が起立することにより底辺部５３が押圧部６２を押し上げる力が作用するので、支軸６３を支点にしてレバー６０が矢印Ｃ方向へと回転し、操作部６１が元の位置まで押し戻される。
【００３４】
したがって、それまで離れていた第１固定接点４１と第２固定接点４２が接点ばね片５０を介して接続され、その結果、第１接続端子４３と第２接続端子４４とが電気的に導通する。すなわち、レバー６０への押圧が解除されると図７（ｂ）に示すように接点間が閉になり、スイッチ回路がＯＦＦからＯＮの状態へと切り換わる。
【００３５】
《第２実施形態》
図９は本発明の第２実施形態におけるレバースイッチの縦断面図、図１０は同スイッチを構成する部品図、図１１と図１２は同スイッチの動作説明図である。
【００３６】
図９に示すように、本実施形態のレバースイッチＳＷはノーマルオープンタイプの切換スイッチであって、定常時には接点が「開」の状態であり、レバー６０に押し込み力が作用すると接点を「閉」へと切り換えるとともに、押し込み力が解除されるとレバー６０が通常位置に戻って接点を「閉」から「開」へと切り換えるようになっている。
【００３７】
本実施形態では、レバースイッチＳＷを構成する固定接点４０のパターンが上述した第１実施形態のものと異なっている。すなわち、図１０に示すように、この固定接点４０は細長状の第１固定接点４１と第２固定接点４２をベース１０内の底面に平行に配置したものであるが、第２固定接点４２の位置を中心よりも外側へとずらしてある。これにより第１固定接点４１と第２固定接点４２との間にある絶縁部の領域が第１実施形態のそれよりも広く設定されている。なお、固定接点４０以外の部品（ベース１０、カバー２０、ケース３０、接点ばね片５０、レバー６０）の構成は、第１実施形態のものとすべて同じである。
【００３８】
本実施形態のレバースイッチＳＷは以上のように構成されており、以下その動作について説明する。
【００３９】
図１１に示すように、レバースイッチＳＷのレバー６０が作動していない定常時において、内部の接点関係を見てみると、接点ばね片５０は脚部５４，５４によって起立しており、その先端の第１可動接点５１が第１固定接点４１に接触している。ところが、第２可動接点５２は第２固定接点４２に接触しておらず、第１固定接点４１と第２固定接点４２の間の絶縁部に位置している。
【００４０】
したがって、第１固定接点４１と第２固定接点４２の接続が断たれており、第１接続端子４３と第２接続端子４４が電気的に遮断されている。すなわち、レバースイッチＳＷのレバー６０が静止しているときには図１１（ｂ）に示すように接点間が開であり、スイッチ回路がＯＦＦの状態になっている。
【００４１】
図１１に示したスイッチ回路がＯＦＦの状態からレバー６０に対して図中矢印Ａ方向の外力が作用したときには、支軸６３を支点にしてレバー６０が矢印Ｂ方向へと回転し、操作部６１がカバー２０の段部２５に衝突するまで移動する。
【００４２】
このときの内部の接点関係を見ると、図１２に示すように、レバー６０の回転に伴って押圧部６２が傾斜する際に接点ばね片５０の底辺部５３を押し下げ、接点ばね片５０の弾力に逆らって脚部５４を撓み変形させる。ここで、接点ばね片５０の右側の反曲部５５は突起部２６に当接していて上方への移動が規制されるとともに、右側の脚部５４が傾斜台１６に衝突するので、第１可動接点５１は移動することなく第１固定接点４１に接触したままである。それに対し、接点ばね片５０の左側の脚部５４は水平台１５に衝突するまで動きが自由であるので、第２可動接点５２がベース１０内の底面に摺接しながら絶縁部から離れて第２固定接点４２へと移動する。
【００４３】
したがって、それまで接続が断たれていた第１固定接点４１と第２固定接点４２が接点ばね片５０を介して接続され、その結果、第１接続端子４３と第２接続端子４４が電気的に導通する。これによりレバー６０の作動時には図１２（ｂ）に示すように接点間が閉になり、スイッチ回路がＯＦＦからＯＮの状態へと切り換わる。
【００４４】
図１２に示したスイッチ回路がＯＮの状態からレバー６０に作用していた外力が解除されると、レバー６０は接点ばね片５０の弾力によって自動的に中立位置に復帰する。すなわち、接点ばね片５０の脚部５４が起立することにより底辺部５３が押圧部６２を押し上げる力が作用するので、支軸６３を支点にしてレバー６０が矢印Ｃ方向へと回転し、操作部６１が元の位置まで押し戻される。
【００４５】
したがって、それまで接続されていた第１固定接点４１と第２固定接点４２が切り離され、その結果、第１接続端子４３と第２接続端子４４が電気的に遮断される。すなわち、レバー６０への押圧が解除されると図１１（ｂ）に示すように接点間が開になり、スイッチ回路がＯＮからＯＦＦの状態へと切り換わる。
【００４６】
以上説明したように、本発明のレバースイッチＳＷにおいては、厚さ寸法が幅及び高さ寸法よりも小さな薄型のケース３０内に薄板状のレバー６０を収容し、このレバー６０の回転動作に連動して接点ばね片５０の脚部５４が撓み変形し、脚部先端の第２可動接点５２が第２固定接点４２から離れて絶縁部へと移動することによってスイッチ回路がＯＦＦに切り換わる、あるいはこれとは逆に第２可動接点５２が絶縁部から離れて第２固定接点４２へと移動することによってスイッチ回路がＯＮに切り換わるという、独特な接点の切換構造を採用した。このことにより、スイッチの接点構造がケース３０の厚さ方向に広がらないため、接点構造の省スペース化が図られ、極めて小型でかつ薄型化したノーマルクローズタイプとノーマルオープンタイプの２種類の切換スイッチを提供することが可能になる。
【００４７】
また、ノーマルクローズタイプの固定接点４０のパターンについて第２固定接点４２の位置だけを変更し、その他の部品についてはそのまま共通で使用することによってノーマルオープンタイプのスイッチにも対応できるので、ノーマルクローズタイプとノーマルオープンタイプの両方のスイッチを安価なコストで製造できるという効果がある。
【図面の簡単な説明】
【００４８】
【図１】本発明の第１実施形態におけるレバースイッチの外観図で、（ａ）は上面図、（ｂ）は正面図、（ｃ）は右側面図である。
【図２】同スイッチの縦断面図である。
【図３】同スイッチを構成するベースと固定接点の説明図で、（ａ）は上面図、（ｂ）は背面側から見た縦断面図、（ｃ）は正面側から見た縦断面図である。
【図４】同レバースイッチを構成する接点ばね片の説明図で、（ａ）は上面図、（ｂ）は正面図である。
【図５】同スイッチを構成するレバーの説明図で、（ａ）は正面図、（ｂ）は右側面図である。
【図６】同スイッチを構成するカバーの説明図で、（ａ）は上面図、（ｂ）は縦断面図である。
【図７】同スイッチの動作説明図で、（ａ）は定常時の状態を示す断面図、（ｂ）はスイッチ回路図である。
【図８】同スイッチの動作説明図で、（ａ）は動作時の状態を示す断面図、（ｂ）はスイッチ回路図である。
【図９】本発明の第２実施形態におけるレバースイッチの縦断面図である。
【図１０】同スイッチを構成するベースと固定接点の説明図で、（ａ）は上面図、（ｂ）は背面側から見た縦断面図、（ｃ）は正面側から見た縦断面図である。
【図１１】同スイッチの動作説明図で、（ａ）は定常時の状態を示す断面図、（ｂ）はスイッチ回路図である。
【図１２】同スイッチの動作説明図で、（ａ）は動作時の状態を示す断面図、（ｂ）はスイッチ回路図である。
【符号の説明】
【００４９】
ＳＷ  レバースイッチ
１０  ベース
１１  本体
１２  係止孔
１３  円形孔
１４  凹溝
１５  水平台
１６  傾斜台
１７  ピン
２０  カバー
２１  天板
２２  取付片
２３  係止爪
２４  方形孔
２５  段部
２６  突起部
３０  ケース
３１  開口部
４０  固定接点
４１  第１固定接点
４２  第２固定接点
４３  第１接続端子
４４  第２接続端子
５０  接点ばね片
５１  第１可動接点
５２  第２可動接点
５３  底辺部
５４  脚部
５５  反曲部
５６  補強リブ
６０  レバー
６１  操作部
６２  押圧部
６３  支軸
【図１】
2008066218.tif 000003
【図２】
2008066218.tif 000004
【図３】
2008066218.tif 000005
【図４】
2008066218.tif 000006
【図５】
2008066218.tif 000007
【図６】
2008066218.tif 000008
【図７】
2008066218.tif 000009
【図８】
2008066218.tif 000010
【図９】
2008066218.tif 000011
【図１０】
2008066218.tif 000012
【図１１】
2008066218.tif 000013
【図１２】
2008066218.tif 000014